【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
サーバ装置と通信端末とがネットワークを通じて情報の送受信を行う情報通信方法において、
前記通信端末は、自分宛ての受信情報のリストを前記サーバ装置に要求し、
前記サーバ装置は、前記通信端末からのリスト要求に応じて、前記通信端末に受信情報のリストを送出し、
前記通信端末は、前記サーバ装置から受信した受信情報のリストが表示されているときに前記通信端末の使用者によって未受信情報の一括取得が指示されたとき、前記サーバ装置に未受信一括取得要求を送出し、
前記サーバ装置は、前記通信端末からの前記未受信一括取得要求に応じて、前記サーバ装置に記憶されている受信情報の中から、前記通信端末に送信していない受信情報を抽出して前記通信端末に送出する
ことを特徴とする情報通信方法。
【請求項２】
前記サーバ装置と前記通信端末との間の接続は、前記通信端末から接続要求を前記サーバ装置に宛てて送出することによりなされるものであり、
前記通信端末の使用者によって未受信情報の一括取得の指示がされたときに、前記通信端末と前記サーバ装置とが接続されていない場合には、前記通信端末は、前記接続要求を、前記未受信一括取得要求に先立ち、あるいは、同時に送出して、前記サーバ装置と回線接続し、前記サーバ装置からの未受信データの取得を終了したときに、前記サーバ装置との回線接続を自動的に切断するようにする
ことを特徴とする請求項１に記載の情報通信方法。
【請求項３】
前記サーバ装置と前記通信端末との間の回線接続は、前記通信端末から接続要求を前記サーバ装置に宛てて送出することによりなされるものであり、
前記通信端末の使用者によって未受信情報の一括取得の指示がされたときに、前記通信端末と前記サーバ装置とが接続されている場合には、前記通信端末は、前記サーバ装置からの未受信データを取得して、メモリ部に格納し、前記回線接続はそのまま維持する
ことを特徴とする請求項１に記載の情報通信方法。
【請求項４】
前記サーバ装置は、前記通信端末宛ての受信があったときに、前記通信端末に着信通知を行い、前記通信端末は、前記サーバ装置からの着信通知を受けたときに、使用者に着信を報知するようにすることを特徴とする請求項１に記載の情報通信方法。
【請求項５】
サーバ装置と通信端末とがネットワークを通じて接続可能とされた情報通信システムであって、
前記通信端末は、
前記サーバ装置に接続要求を送出する手段と、
自分宛ての受信情報のリストを前記サーバ装置に要求するリスト要求手段と、
前記リスト要求手段により前記サーバ装置から受信した受信情報のリストを表示する表示手段と、
前記表示手段に前記リストが表示されているときに表示される、操作可能な未受信一括取得要求入力操作手段と、
前記未受信一括取得要求入力操作手段が操作されたときに、未受信一括取得要求を前記サーバ装置に宛てて送出する未受信一括要求送出手段と、
前記サーバ装置からの受信情報を格納するための第１のメモリ部と、
を備え、
前記サーバ装置は、
ネットワークを介して受信された受信情報を第２のメモリ部に格納する手段と、
前記通信端末からの接続要求に応じて、前記通信端末と接続する処理を行う手段と、
前記通信端末からのリスト要求に応じて、前記通信端末に受信情報のリストを送出するリスト送出手段と、
前記通信端末からの前記未受信一括取得要求に応じて、前記通信端末に送信していない受信情報を前記第２のメモリ部から抽出して前記通信端末に送出する情報送出手段と、
を備えることを特徴とする情報通信システム。
【請求項６】
請求項５に記載の情報通信システムにおいて、
前記通信端末で前記未受信一括取得要求入力操作手段が操作されたときに、前記通信端末と前記サーバ装置とが接続されていない場合には、
前記通信端末の前記接続要求送出手段は前記接続要求を前記サーバ装置に送出すると共に、前記未受信一括要求送出手段から前記未受信一括取得要求を前記サーバ装置に宛てて送出し、
前記サーバ装置からの未受信データの受信を完了した後には、前記通信端末は前記接続を自動的に切断するようにする
ことを特徴とする情報通信システム。
【請求項７】
請求項５に記載の情報通信システムにおいて、
前記未受信一括取得要求入力操作手段が操作されたときに、前記通信端末と前記サーバ装置とが接続されている場合には、
前記通信端末は、前記接続を通じて、前記未受信一括要求送出手段から前記未受信一括取得要求を前記サーバ装置に宛てて送出し、
前記サーバ装置からの未受信データの取得を完了した後にも、前記接続はそのまま維持する
ことを特徴とする情報通信システム。
【請求項８】
請求項５に記載の情報通信システムにおいて、
前記サーバ装置は、前記通信端末宛ての受信があったときに、前記通信端末に着信通知を行う手段を備え、
前記通信端末は、前記サーバ装置からの着信通知を受けたときに、使用者に着信を報知する手段を備える
ことを特徴とする情報通信システム。
【請求項９】
サーバ装置とネットワークを通じて接続される通信端末であって、
前記サーバ装置に接続要求を送出する手段と、
自分宛ての受信情報のリストを前記サーバ装置に要求するリスト要求手段と、
前記リスト要求手段により前記サーバ装置から受信した受信情報のリストを表示する表示手段と、
前記表示手段に前記リストが表示されているときに表示される、操作可能な未受信一括取得要求入力操作手段と、
前記未受信一括取得要求入力操作手段が操作されたときに、未受信一括取得要求を前記サーバ装置に宛てて送出する未受信一括要求送出手段と、
前記サーバ装置からの受信情報を格納するためのメモリ部と、
を備えることを特徴とする通信端末。
【請求項１０】
請求項９に記載の通信端末において、
前記未受信一括取得要求入力操作手段が操作されたときに、前記サーバ装置と接続されていない場合には、
前記接続要求送出手段は前記接続要求を前記サーバ装置に送出すると共に、前記未受信一括要求送出手段から前記未受信一括取得要求を前記サーバ装置に宛てて送出し、
前記サーバ装置からの未受信データの受信を完了した後には、前記接続を自動的に切断するようにする
ことを特徴とする通信端末。
【請求項１１】
請求項９に記載の通信端末において、
前記未受信一括取得要求入力操作手段が操作されたときに、前記サーバ装置と接続されている場合には、
前記接続を通じて、前記未受信一括要求送出手段から前記未受信一括取得要求を前記サーバ装置に宛てて送出し、
前記サーバ装置からの未受信データの取得を完了した後にも、前記接続はそのまま維持する
ことを特徴とする通信端末。
【請求項１２】
請求項９に記載の通信端末において、
前記サーバ装置からの着信通知を受けたときに、使用者に着信を報知する手段を備えることを特徴とする通信端末。
【請求項１３】
通信端末とネットワークを通じて接続されるサーバ装置であって、
ネットワークを介して受信された受信情報をメモリ部に格納する手段と、
前記通信端末からの接続要求に応じて、前記通信端末と接続する処理を行う手段と、
前記通信端末からのリスト要求に応じて、前記通信端末に受信情報のリストを送出するリスト送出手段と、
前記通信端末からの未受信取得要求に応じて、前記通信端末に送信していない受信情報を前記メモリ部から抽出して前記通信端末に送出する情報送出手段と、
を備えることを特徴とするサーバ装置。
【請求項１４】
請求項１３に記載のサーバ装置において、
前記通信端末宛ての受信情報を受信したとき、前記通信端末に着信通知を行う手段を備える
ことを特徴とするサーバ装置。
【請求項１５】
請求項１３に記載のサーバ装置において、
前記情報送出手段は、前記通信端末に送出した受信情報について取込済を表す情報に変更する
ことを特徴とするサーバ装置。
【請求項１６】
請求項１３に記載のサーバ装置において、
前記情報送出手段は、前記通信端末からの未読受信一括取得要求に応じて、前記通信端末に送信していないすべての受信情報を前記メモリ部から抽出して前記通信端末に送出する
ことを特徴とするサーバ装置。
【請求項１７】
請求項１３に記載のサーバ装置において、
前記リスト送出手段は、前記通信端末に、受信情報のリストと未取得の受信情報を知らせる情報とを送出する
ことを特徴とするサーバ装置。
【請求項１８】
通信端末とネットワークを通じて接続されるサーバ装置であって、
ネットワークを介して受信された受信情報をメモリ部に格納する手段と、
前記通信端末からの接続要求に応じて、前記通信端末と接続する処理を行う手段と、
前記通信端末からの未受信取得要求に応じて、通信端末で取込済みとなっていないすべての受信情報を前記メモリ部から抽出して前記通信端末に送出し、前記通信端末に送出したすべての受信情報について取込済を表す情報に変更する手段と
を備えることを特徴とするサーバ装置。
【請求項１９】
サーバ装置とネットワークを通じて接続される通信端末であって、
前記サーバ装置に接続要求を送出する手段と、
前記サーバ装置のメモリ部に格納されている受信情報の中から前記通信端末で取込済みとなっていない受信情報を抽出させて送信させる要求を、前記サーバ装置に送信する手段と、
前記サーバ装置からの受信情報を格納するための手段と
を備えることを特徴とする通信端末。
【手続補正２】
【補正対象書類名】明細書
【補正対象項目名】０００８
【補正方法】変更
【補正の内容】
【０００８】
【課題を解決するための手段】
前記課題を解決するため、請求項１の発明による情報通信方法は、
サーバ装置と通信端末とがネットワークを通じて情報の送受信を行う情報通信方法において、
前記通信端末は、自分宛ての受信情報のリストを前記サーバ装置に要求し、
前記サーバ装置は、前記通信端末からのリスト要求に応じて、前記通信端末に受信情報のリストを送出し、
前記通信端末は、前記サーバ装置から受信した受信情報のリストが表示されているときに前記通信端末の使用者によって未受信情報の一括取得が指示されたとき、前記サーバ装置に未受信一括取得要求を送出し、
前記サーバ装置は、前記通信端末からの前記未受信一括取得要求に応じて、前記サーバ装置に記憶されている受信情報の中から、前記通信端末に送信していない受信情報を抽出して前記通信端末に送出する
ことを特徴とする。
【手続補正３】
【補正対象書類名】明細書
【補正対象項目名】０００９
【補正方法】変更
【補正の内容】
【０００９】
上記の構成の請求項１の発明の情報通信方法においては、使用者が、未受信情報の一括取得の指示操作をすると、未受信一括取得要求がサーバ装置に送出され、サーバ装置から通信端末がそれまでに取得していない受信データを通信端末に対して送信してくる。したがって、使用者が、未受信情報の一括取得の指示操作をするだけで、それまでに取得したことがない受信データを取得することができる。
【手続補正４】
【補正対象書類名】明細書
【補正対象項目名】００１０
【補正方法】変更
【補正の内容】
【００１０】
また、請求項２の発明の情報通信方法は、請求項１の発明において、
前記サーバ装置と前記通信端末との間の接続は、前記通信端末から接続要求を前記サーバ装置に宛てて送出することによりなされるものであり、
前記通信端末の使用者によって未受信情報の一括取得の指示がされたときに、前記通信端末と前記サーバ装置とが接続されていない場合には、前記通信端末は、前記接続要求を、前記未受信一括取得要求に先立ち、あるいは、同時に送出して、前記サーバ装置と回線接続し、前記サーバ装置からの未受信データの取得を終了したときに、前記サーバ装置との回線接続を自動的に切断するようにする
ことを特徴とする。
【手続補正５】
【補正対象書類名】明細書
【補正対象項目名】００１１
【補正方法】変更
【補正の内容】
【００１１】
この請求項２の発明の場合には、通信端末とサーバ装置との回線接続がなされていないときであっても、使用者が、未受信情報の一括取得の指示操作をするだけで、自動的に回線接続が行われ、それまでに取得したことがない受信データが取得され、受信データの取得が完了したら回線切断される。
【手続補正６】
【補正対象書類名】明細書
【補正対象項目名】００１２
【補正方法】変更
【補正の内容】
【００１２】
また、請求項３の発明の情報通信方法は、請求項１の発明において、
前記サーバ装置と前記通信端末との間の回線接続は、前記通信端末から接続要求を前記サーバ装置に宛てて送出することによりなされるものであり、
前記通信端末の使用者によって未受信情報の一括取得の指示がされたときに、前記通信端末と前記サーバ装置とが接続されている場合には、前記通信端末は、前記サーバ装置からの未受信データを取得して、メモリ部に格納し、前記接続はそのまま維持する
ことを特徴とする。
【手続補正７】
【補正対象書類名】明細書
【補正対象項目名】００１３
【補正方法】変更
【補正の内容】
【００１３】
この請求項３の発明によれば、回線接続されているときには、使用者が、未受信情報の一括取得の指示操作をしても回線は切断されないので、接続中の回線を維持して、他の機能に移ることができるなどのメリットがある。
【手続補正８】
【補正対象書類名】明細書
【補正対象項目名】００１４
【補正方法】変更
【補正の内容】
【００１４】
また、請求項４の発明の情報通信方法は、請求項１に記載の情報通信方法において、
前記サーバ装置は、前記通信端末宛ての受信があったときに、前記通信端末に着信通知を行い、前記通信端末は、前記サーバ装置からの着信通知を受けたときに、使用者に着信を報知するようにすることを特徴とする。
【手続補正９】
【補正対象書類名】明細書
【補正対象項目名】００１５
【補正方法】変更
【補正の内容】
【００１５】
この請求項４の発明によれば、通信端末は、自分宛ての受信があったことを、サーバ装置からの着信通知に基づいて、使用者に報知する。したがって、使用者は、この着信の報知に基づき、未受信一括取得要求入力操作手段を操作して、新着の受信情報を簡単に取得することができる。